(57)【要約】【課題】回路規模を小さくしてコスト低下を図りつつ、最適な色度調整を行う液晶表示装置を提供する。【解決手段】表示部１の背面に設けられたバックライト４と、バックライト４へ電圧を供給するバックライト用ドライバー６と、Ｒ・Ｇ・Ｂのγ補正用のデータが格納されたγテーブル８とを含み、バックライト用ドライバー６には、バックライト４へ供給する電圧に対応する輝度調整信号が入力され、Ｒ・Ｇ・Ｂのγテーブルデータが、輝度調整信号の変化に応じて更新可能となっている。【選択図】図１
2008076687.tif 000002
【特許請求の範囲】
【請求項１】
液晶表示部の背面に設けられたバックライトと、該バックライトへ電圧を供給するバックライト駆動手段と、各色のγ補正用のデータが一時的に格納された一時記憶手段と含み、
上記バックライト駆動手段には、上記バックライトへ供給する電圧に対応する輝度調整信号が入力され、
上記各色のγ補正用のデータを上記輝度調整信号の変化に応じて更新する更新手段を有していることを特徴とする液晶表示装置。
【請求項２】
上記各色のγ補正用のデータうち少なくとも１つのデータは、上記輝度調整信号の変化に応じた更新が独立して行われることを特徴とする請求項１に記載の液晶表示装置。
【請求項３】
上記輝度調整信号の上記バックライトへの入力に合わせて、上記一時記憶手段へ上記各色のγ補正用の更新後のデータが入力されることを特徴とする請求項１または２に記載の液晶表示装置。
【請求項４】
上記輝度調整信号に対応した上記各色のγ補正用のデータが複数格納された記憶手段と、
上記輝度調整信号に基づいて上記記憶手段からいずれかのデータを選択するデータ選択信号を生成する、データ選択信号生成手段と、をさらに有し、
上記一時記憶手段に格納されたデータは、上記データ選択信号にて上記記憶手段から選択されたデータに更新されることを特徴とする請求項１または２に記載の液晶表示装置。
【請求項５】
上記輝度調整信号に対応した上記各色のγ補正用のデータが複数格納された記憶手段と、
上記輝度調整信号の変化に対応した上記バックライト駆動手段が供給する電圧の変化を検出する検出手段と、
該検出手段の検出結果に基づいて、上記記憶手段からいずれかのデータを選択するデータ選択信号を生成する、データ選択信号生成手段と、をさらに有し、
上記一時記憶手段に格納されたデータは、上記データ選択信号にて上記記憶手段から選択されたデータに更新されることを特徴とする請求項１または２に記載の液晶表示装置。
【請求項６】
上記各色のγ補正用のデータは、それぞれが独立して更新されることを特徴とする請求項１から５のいずれか１項に記載の液晶表示装置。
【請求項７】
上記一時記憶手段からの出力を液晶に印加する液晶印加電圧に変換する変換手段を有しており、
上記変換手段には、上記一時記憶手段からの出力が直接入力されることを特徴とする請求項１から６のいずれか１項に記載の液晶表示装置。
【請求項８】
液晶表示部の背面に設けられたバックライトと、該バックライトへ電圧を供給するバックライト駆動手段と、各色のγ補正用のデータが格納された一時記憶手段と、を有し、γ補正に基づき色度を調整する液晶表示装置の色度調整方法であって、
上記バックライト駆動手段に、上記バックライトへ供給する電圧に対応する輝度調整信号を入力し、上記各色のγ補正用のデータを上記輝度調整信号の変化に応じて更新することを特徴とする液晶表示装置の色度調整方法。
【請求項９】
上記各色のγ補正用のデータのうち少なくとも１つのデータを、上記輝度調整信号の変化に応じて独立して更新することを特徴とする請求項８に記載の液晶表示装置色度調整方法。
【発明の詳細な説明】
【技術分野】
【０００１】
本発明は、バックライトの輝度を調整する液晶表示装置および液晶表示装置の色度調整方法に関するものである。
【背景技術】
【０００２】
従来、液晶表示装置を用いる際に、低消費電力化のために、バックライトの輝度を落として表示を行うことがある。このとき、バックライトの特性や液晶表示装置の特性上、バックライト輝度を落としたときの液晶表示装置の色度は、元の輝度における表示装置の色度から外れたものとなる。このバックライト輝度を落とすことによる表示装置の色度のずれは、液晶表示装置の表示品位を下げてしまう。一方、バックライトに対してこの色度のずれの補正を行おうとすれば、バックライト自体の開発が新たに必要となる上、汎用的なバックライトを生産することが難しくなる。
【０００３】
また、特許文献１では、画像データを元に、バックライト輝度を予想し、色補正γテーブルデータを利用して、ＲＧＢの信号値を補正することにより色度シフト（色度ずれ）を補正していた。具体的には、入力された画像データの信号値とバックライトの輝度のデータとを元に、色度シフト値を計算によって求めていた。
【特許文献１】特開２００２−９９２５０号公報（平成１４年４月５日  公開）
【発明の開示】
【発明が解決しようとする課題】
【０００４】
しかしながら、特許文献１では、色度シフト量を計算によって求める必要があるため、色度の計算用回路および画像データを一時的に蓄積するフレームメモリを設ける必要があり、回路規模が大きくなると共にコストが増大する、という問題があった。さらに、計算により色度シフト量を求めるため、計算誤差により、最適な色度調整が困難である、という問題があった。
【０００５】
本発明は、上記の問題点に鑑みてなされたものであり、回路規模を小さくしてコスト低下を図りつつ、最適な色度調整を行う液晶表示装置および液晶表示装置の色度調整方法を提供することである。
【課題を解決するための手段】
【０００６】
上記課題を解決するために、本発明の液晶表示装置は、液晶表示部の背面に設けられたバックライトと、該バックライトへ電圧を供給するバックライト駆動手段と、各色のγ補正用のデータが一時的に格納された一時記憶手段と含み、上記バックライト駆動手段には、上記バックライトへ供給する電圧に対応する輝度調整信号が入力され、上記各色のγ補正用のデータを上記輝度調整信号の変化に応じて更新する更新手段を有していることを特徴としている。
【０００７】
また、上記課題を解決するために、本発明の液晶表示装置の色度調整方法は、液晶表示部の背面に設けられたバックライトと、該バックライトへ電圧を供給するバックライト駆動手段と、各色のγ補正用のデータが格納されたテーブルと、を有し、γ補正に基づき色度を調整する液晶表示装置の色度調整方法であって、上記バックライト駆動手段に、上記バックライトへ供給する電圧に対応する輝度調整信号を入力し、上記各色のγ補正用のデータを上記輝度調整信号の変化に応じて更新することを特徴としている。
【０００８】
上記構成によれば、液晶表示部に印加する液晶印加電圧を決定する各色のγ補正用のデータ（色度を調整するためのデータ）を輝度調整信号の変化に応じて更新する更新手段を有している。また、上記方法によれば、液晶表示部に印加する液晶印加電圧を決定する各色のγ補正用のデータ（色度を調整するためのデータ）を輝度調整信号の変化に応じて更新している。
【０００９】
ここで、輝度調整信号は、バックライトを制御するバックライト駆動手段が、バックライトへ供給する電圧に対応した信号であり、該輝度調整信号を調整することにより、バックライトの電圧を調整でき、該バックライトの電圧の調整により、バックライトに流れる電流値（輝度）が変化するようになっている。つまり、本発明では、バックライトの輝度の変化に応じて、各色のγ補正用のデータを更新している。
【００１０】
従って、一時記憶手段のデータを輝度調整信号の変化に応じた最適なデータに更新することにより、最適な色度調整を行うことができる。
【００１１】
また、本発明の液晶表示装置では、上記各色のγ補正用のデータうち少なくとも１つのデータは、上記輝度調整信号の変化に応じた更新が独立して行われることが好ましい。
【００１２】
また、本発明の液晶表示装置の色度調整方法では、上記各色のγ補正用のデータのうち少なくとも１つのデータを、上記輝度調整信号の変化に応じて独立して更新することが好ましい。
【００１３】
ここで、各色のγ補正用のデータのうち少なくとも１つのデータは、上記輝度調整信号の変化に応じた更新が独立して行われるとは、各色のγ補正用のデータのうち少なくとも１つのデータを他のデータのいずれかから独立して更新させることをいう。
【００１４】
液晶表示装置の特性およびバックアップの特性は、データ、それぞれで異なる。そのため、これらを一致させて更新したのでは、液晶表示装置の特性およびバックアップの特性の相違による色度のずれを吸収することができない。これに対して、上記構成によれば、上記各色のγ補正用のデータのうち少なくとも１つのデータは、上記輝度調整信号の変化に応じた更新が独立して行われる。また、上記方法によれば、上記各色のγ補正用のデータのうち少なくとも１つのデータを、上記輝度調整用の信号の変化に応じて独立して更新している。
【００１５】
それゆえ、各色のγ補正用のデータ単位での調整を行うことができるため、液晶表示装置の特性およびバックアップの特性に基づく色度のずれを吸収することができる。つまり、液晶表示装置の特性およびバックライトの特性の違いに基づく、色度のずれを、データ単位で調整することができる。従って、色度のずれを、さらに小さくすることができる。
【００１６】
また、本発明の液晶表示装置では、上記輝度調整信号の上記バックライトへの入力に合わせて、上記一時記憶手段へ上記各色のγ補正用の更新後のデータが入力されることが好ましい。
【００１７】
上記構成によれば、上記輝度調整信号の上記バックライトへの入力に合わせて、上記各色のγ補正用の更新後のデータが入力されている。従って、従来の液晶表示装置の構成を変更することなく、色度のずれを補正することができる。
【００１８】
また、本発明の液晶表示装置では、上記輝度調整信号に対応した上記各色のγ補正用のデータが複数格納された記憶手段と、上記輝度調整信号に基づいて上記記憶手段からいずれかのデータを選択するデータ選択信号を生成する、データ選択信号生成手段と、をさらに有し、上記一時記憶手段に格納されたデータは、上記データ選択信号にて上記記憶手段から選択されたデータに更新されることが好ましい。
【００１９】
また、本発明の液晶表示装置では、上記輝度調整信号に対応した上記各色のγ補正用のデータが複数格納された記憶手段と、上記輝度調整信号の変化に対応した上記バックライト駆動手段が供給する電圧の変化を検出する検出手段と、該検出手段の検出結果に基づいて、上記記憶手段からいずれかのデータを選択するデータ選択信号を生成する、データ選択信号生成手段と、をさらに有し、上記一時記憶手段に格納されたデータは、上記データ選択信号にて上記記憶手段から選択されたデータに更新されることが好ましい。
【００２０】
また、本発明の液晶表示装置では、上記各色のγ補正用のデータは、それぞれが独立して更新されることが好ましい。
【００２１】
上記構成によれば、各色のγ補正用のデータそれぞれが独立して更新されるため、より一層、液晶表示装置の特性およびバックアップの特性による色度のずれを正確に調整することができる。
【００２２】
また、本発明の液晶表示装置では、上記一時記憶手段からの出力を液晶に印加する液晶印加電圧に変換する変換手段を有しており、上記変換手段には、上記一時記憶手段からの出力が直接入力されることが好ましい。
【００２３】
上記構成によれば、一時記憶手段の後段にデータを液晶に印加する液晶印加電圧に変換する変換手段が設けられているため、回路規模を小さくすることができる。
【発明の効果】
【００２４】
以上のように、本発明の液晶表示装置は、液晶表示部の背面に設けられたバックライトと、該バックライトへ電圧を供給するバックライト駆動手段と、各色のγ補正用のデータが一時的に格納された一時記憶手段と含み、上記バックライト駆動手段には、上記バックライトへ供給する電圧に対応する輝度調整信号が入力され、上記各色のγ補正用のデータを上記輝度調整信号の変化に応じて更新する更新手段を有している。
【００２５】
また、本発明の液晶表示装置の色度調整方法は、液晶表示部の背面に設けられたバックライトと、該バックライトへ電圧を供給するバックライト駆動手段と、各色のγ補正用のデータが格納された一時記憶手段と、を有し、γ補正に基づき色度を調整する液晶表示装置の色度調整方法であって、上記バックライト駆動手段に、上記バックライトへ供給する電圧に対応する輝度調整信号を入力し、上記各色のγ補正用のデータを上記輝度調整信号の変化に応じて更新する。
【００２６】
従って、回路規模を小さくしてコスト低下を図りつつ、最適な色度調整を行う液晶表示装置および液晶表示装置の色度調整方法を提供することができる。
【発明を実施するための最良の形態】
【００２７】
本発明の一実施の形態について図面を用いて説明する。
【００２８】
本実施の形態の液晶表示装置は、スイッチング素子にＴＦＴ（Thin Film Transistor）を用いたアクティブマトリクス型の液晶表示装置であり、図１に示すように、表示部（表示パネル；液晶表示部）１、走査信号線制御部（ゲート駆動部；ゲートドライバー）２、映像信号線制御部（ソース駆動部；ソースドライバー）３、バックライト４、表示制御部（表示制御回路）５、バックライト用ドライバー（バックライト駆動手段）６、および電源回路（電源）７を有している。なお、本実施の形態では、液晶表示装置側をモジュール側とする一方、該液晶表示装置に各種の元信号を送信する側をセット側とする。該セット側には、Main MPU２０などが配されている。また、本実施の形態の構成のようなセット側とモジュール側を分けた構成に限らず、セット側にモジュールとしての機能を持たせたものでもよい。
【００２９】
表示部１は、図示は省略するが、互いに平行するｍ本の走査信号線および互いに平行するｎ本のデータ信号線と、マトリクス状に配置された画素とを有している。画素は、隣接する２本の走査信号線と隣接する２本のデータ信号線とで包囲された領域に形成され、スイッチング素子と、液晶容量とによって構成される。
【００３０】
ゲート駆動部２は、表示制御部５から出力されるゲートクロック信号（ＧＣＫ）およびゲートスタートパルス（ＧＳＰ）などの各種タイミング信号に基づいて、各行の画素に接続された走査信号線に与える走査信号を順次発生する。
【００３１】
ソース駆動部３は、表示制御部５から出力されるソースクロック信号（ＳＣＫ）およびソーススタートパルス（ＳＳＰ）に基づいて、同じく表示制御部５から出力される液晶印加電圧にて示される表示データ（ＤＡＴ）をサンプリングし、得られた画像データを各列の画素に接続されたデータ信号線に出力するようになっている。
【００３２】
バックライト４は、表示部１の背面に配されており、図示は省略するが、例えば発光ダイオードからなる光源と、この光源からの光を表示部に導くための導光板とで構成されている。なお、バックライト４は、発光ダイオードに限らず、蛍光灯を使用してもよい。
【００３３】
バックライト用ドライバー５は、セット側から輝度調整信号を受け取り、該輝度調整信号に応じたバックライト駆動電圧をバックライト４に印加する。つまり、本実施の形態では、バックライト４の輝度を、低消費電力化ために調整できるようになっている。なお、バックライトドライバー５には、セット側から電源入力がされている。
【００３４】
表示制御部５は、不揮発性メモリである表示データ用γテーブル（γテーブル；一時記憶手段）８、該γテーブル８の後段に配されたＤ／Ａ変換回路（ＤＡＣ、変換手段）９、表示制御部５全体を制御するコントロール回路（データ信号線生成手段；更新手段）１０、タイミング信号生成回路１１、および対向電極駆動回路１２を備えている。
【００３５】
対向電力駆動回路１２は、液晶容量の一方の電極に接続された全画素に共通の共通電極線に対向電圧（Ｖｃｏｍ）を印加する。
【００３６】
タイミング信号生成回路１１は、ソース駆動部３に対して、ソースクロック信号（ＳＣＫ）およびソーススタートパルス（ＳＳＰ）などのタイミング信号を出力し、ゲート駆動部２に対してゲートクロック信号（ＧＣＫ）およびゲートスタートパルス（ＧＳＰ）などのタイミング信号を出力する。
【００３７】
γテーブル８は、Ｒ_γテーブル１３、Ｇ_γテーブル１４、およびＢ_γテーブル１５から成っており、セット側から得た映像信号を液晶パネルのγ特性（信号の入力レベルと表示画面の輝度との関係）に適した電圧信号に変換（γ補正）するためのものである。Ｄ／Ａ変換回路９は、図１に示すように、Ｒ_γテーブル１３、Ｇ_γテーブル１４、およびＢ_γテーブル１５に対応して設けられており、γテーブル８にてγ補正された電圧信号をデジタルデータからアナログデータに変換することにより液晶印加電圧を生成して、ソース駆動部３に出力する。
【００３８】
さらに、電源回路７にはセット側から電源入力されており、コントロール回路１０による制御を受けて、液晶表示装置の各回路に電力を供給する。つまり、電源回路７は、図１に示すように、ゲート駆動部２およびソース駆動部３などに対して、表示装置部駆動電圧を印加している。
【００３９】
また、液晶表示装置（モジュール）のセット側には、Ｍａｉｎ ＭＰＵ（以下、単に「ＭＰＵ」と称する）２０が配設されており、該Main MPU２０は、コントロール回路１０へは水平同期信号および映像信号などの各種信号（入力信号）を、γテーブル８へはγテーブルデータを、バックライト用ドライバー６へは輝度調整信号をそれぞれ出力している。
【００４０】
ところで、低消費電力化を狙って、輝度調整信号を調整していることにより、バックライトの輝度を落とした場合、色度のずれが生じる、という問題が生じる。この問題を解決するために、γ補正を、ＧＲＢのγテーブルを調整して行う。
【００４１】
しかしながら、バックライト輝度を落とした場合の色度変化は、バックライト特性および表示装置特性がＲＧＢでばらばらであるため、従来の調整方法では、この状況に対応できない、という問題があった。
【００４２】
これに対して、本実施の形態では、γテーブルの調整を、Ｒ_γテーブル１３、Ｇ_γテーブル１４、Ｂ_γテーブル１５のそれぞれ別々に独立して行っている。そのため、ＲＧＢのγ補正をＲＧＢそれぞれ別々に、バックライト特性、表示装置特性に合わせた調整を行うことができる。なお、バックライトの輝度は、バックライト用ドライバー６によってバックライト４に印加されたバックライト駆動電圧により、バックライト４に流れる電流値に応じて変化する。
【００４３】
本実施の形態の概要は、次の(i)〜(iv)である。
(i) バックライトに流す電流値（に応じた輝度）と、該輝度に応じた液晶表示装置の色度シフト量（ずれ量）を測定する。つまり、予め実際に、種々の電流値をバックライトに流し、色度のずれ量を測定する。なお、基準となる電流値をバックライトに流した場合の色度シフト量は０となる。
【００４４】
(ii) 次に、色度シフト量を補う（補正する）液晶印加電圧を生成するように、「Ｒ」、「Ｇ」、「Ｂ」、それぞれのγテーブルデータを、上記のバックライトに流す電流値に応じて用意する。つまり、上記のバックライトに流す電流値に応じた「Ｒ」、「Ｇ」、「Ｂ」、それぞれのγテーブルデータを用意する。
【００４５】
(iii) これにより、バックライトに流す電流値を変化させる度に、γテーブルのγテーブルデータを書き換える。
【００４６】
(iv) γテーブルデータを書き換えることにより、該γテーブルデータにて液晶印加電圧がγ補正され、色度を最適な値に設定することができる。
【００４７】
この(i)〜(iv)の概要は、具体的には、例えば、次のような３つの構成により実現することができる。
【００４８】
（第１の構成）
Main MPU２０は、バックライト４の輝度を調整する際には、バックライト用ドライバー６に対して、輝度の調整を命令する輝度調整信号を送る。この輝度調整信号としては、例えば、バックライト４の明るさに応じて、Model１〜Model３の３段階の信号を用いることができる。
【００４９】
バックライト用ドライバー６は、該輝度調整信号に応じたバックライト駆動電圧を生成して、バックライト４に送り、バックライト４を制御する。これにより、バックライト４の輝度を調整することができる。
【００５０】
第１の構成では、特に、Main MPU２０には、セット側メモリ２１が実装されている。このセット側メモリ２１には、「Ｒ」、「Ｇ」、「Ｂ」それぞれのγテーブルデータが複数格納されている。これらの「Ｒ」、「Ｇ」、「Ｂ」それぞれのγテーブルデータは、バックライト４の輝度を変化させた場合に、ずれた色度を適正な値にするような液晶印加電圧を生成するデータである。より詳細には、γテーブルデータは、予めバックライト４の輝度を変化させて、液晶表示装置の特性、およびバックライトの特性に起因する色度ずれを吸収することができるようにしたデータである。
【００５１】
これらのγテーブルデータは、「Ｒ」、「Ｇ」、「Ｂ」ごとにそれぞれ用意されており、さらに、「Ｒ」、「Ｇ」、「Ｂ」それぞれにつき、バックライト輝度の値に応じて用意されている。例えば、上記のように、輝度の値を決定する輝度調整信号がModel１〜Model３の３段階の場合には、Model１には、γテーブルデータ「Ｒ１」、「Ｇ１」、「Ｂ１」が対応し、Model２には、γテーブルデータ「Ｒ２」、「Ｇ２」、「Ｂ２」が対応し、Model３には、γテーブルデータ「Ｒ３」、「Ｇ３」、「Ｂ３」が対応している。つまり、「Ｒ」、「Ｇ」、「Ｂ」それぞれのγテーブルデータが独立して上記のセット側メモリ２１に格納されている。
【００５２】
より具体的には、Model１の輝度調整信号に対するγテーブルデータは、図２（ａ）に示す通りである。また、Model２の輝度調整信号に対するγテーブルデータは、図２（ｂ）に示す通りである。さらに、Model３の輝度調整信号に対するγテーブルデータは、図２（ｃ）に示す通りである。それぞれのγテーブルデータには、Ｒ、Ｇ、Ｂのそれぞれに対応する階調値と、最大値を１．０として正規化した印加電圧との関係が示されている。
【００５３】
つまり、図２（ａ）〜（ｃ）は、輝度調整信号に対しての階調値に対する印加電圧を３つのモードに分けたものであり、入ってくる階調値に対して、各Model（モード）ごとの印加電圧を変更するものである。
【００５４】
次に、第１の構成の動作について説明する。
【００５５】
バックライト４の輝度を変化させる場合、Main MPU２０がバックライト用ドライバー６に対して、Model１〜Model３のいずれかの輝度調整信号を送る。該輝度調整信号を受け取ったバックライト用ドライバー６は、該輝度調整信号に応じたバックライト駆動電圧を生成してバックライト４の輝度を調整する。
【００５６】
特に、第１の構成では、Main MPU２０は、バックライト用ドライバー６に対して、Model１〜Model３のいずれかの輝度調整信号を送ると同時に、該輝度調整信号に対応した「Ｒ」、「Ｇ」、「Ｂ」それぞれのγテーブルデータを液晶表示装置のγテーブル８に送る。例えば、Model１を輝度調整信号とした場合には、γテーブルデータ「Ｒ１」、「Ｇ１」、「Ｂ１」を液晶表示装置のγテーブル８へ送る。より詳細には、γテーブルデータ「Ｒ１」をＲ_γテーブル１３へ送り、γテーブルデータ「Ｇ１」をＧ_γテーブル１４へ送り、γテーブルデータ「Ｂ１」をＢ_γテーブル１５へ送る。
【００５７】
これにより、γテーブル８内のデータが書き換えられる。より詳細には、Ｒ_γテーブル１３、Ｇ_γテーブル１４、Ｂ_γテーブル１５内のデータがそれぞれ独立して書き換えられる。書き換わった後のγテーブルデータは、γテーブル８の後段に配されたＤ／Ａ変換回路（ＤＡＣ）９に渡され、該ＤＡＣ９にて液晶印加電圧に変換される。これにより、色度にずれの無い液晶印加電圧をＤＡＣ９から出力することができる。第１の構成によれば、従来の液晶表示装置の構成をそのまま用いることができる。
【００５８】
バックライト４を変化させたときの色度ずれの調整は、液晶表示装置の特性およびバックライトの特性が「Ｒ」、「Ｇ」、「Ｂ」でそれぞれ異なるため、「Ｒ」、「Ｇ」、「Ｇ」を一致させてγ補正したのでは、色度を所望の値にすることができない。これに対して、第１の構成によれば、「Ｒ」、「Ｇ」、「Ｂ」それぞれ別々に（独立させて）γテーブルデータを書き換えている。そのため、「Ｒ」、「Ｇ」、「Ｂ」で異なる、液晶表示装置の特性およびバックライト４の特性に対応することができ、色度を所望の値に補正することができる。
【００５９】
さらに、液晶印加電圧を生成するＤＡＣ９を直接制御できるので、γテーブル８で設定した液晶印加電圧を誤差やノイズなく調整・生成することができる。さらに、γテーブルと液晶印加電圧の生成部であるＤＡＣ９とが直結しているので、回路規模を小さくすることができる。
【００６０】
図３は、「Ｒ」、「Ｇ」、「Ｂ」のγテーブルデータを独立して書き換える場合の、それぞれのγテーブルデータを示すグラフである。グラフは、縦軸に最大値を１００として正規化した液晶印加電圧（Ｖ）を示しており、横軸に階調を示している。
【００６１】
なお、上記のMain MPU２０に実装されているメモリは、Main MPUの内部に実装されていてもよいし、Main MPUの外部に実装されていてもよい。
【００６２】
（第２の構成）
図４は、第２の構成を示すブロック図である。
【００６３】
Main MPU２０は、バックライト４の輝度を調整する際には、バックライト用ドライバー６に対して、輝度の調整を命令する輝度調整信号を送る。この輝度調整信号としては、例えば、バックライト４の明るさに応じて、Model１〜Model３の３段階の信号を用いることができる。
【００６４】
バックライト用ドライバー６は、該輝度調整信号に応じたバックライト駆動電圧を生成して、バックライト４に送り、バックライト４を制御する。これにより、バックライト４の輝度を調整することができる。
【００６５】
第２の構成では、特に、図４に示すように、液晶表示装置に、第１の構成に加えて、さらにモジュール側メモリ（記憶手段）２４が設けられている。このメモリには、上記した色度のずれを補うような液晶印加電圧を生成するように、「Ｒ」、「Ｇ」、「Ｂ」それぞれのγテーブルデータが格納されている。このγテーブルデータは、上記第１の構成で説明したγテーブルデータと同じであるため、これ以上の説明を省略する。
【００６６】
さらに、図４に示すように、コントロール回路１０とモジュール側メモリ２４との間には、テーブルデータ選択部２３が備えられている。テーブルデータ選択部２３は、コントロール回路１０の命令に基づき、モジュール側メモリ２４の中から、「Ｒ」、「Ｇ」、「Ｂ」それぞれのγテーブルデータを取り出して、これらのγテーブルデータをγテーブル８に送る。
【００６７】
第２の構成の動作について説明する。
【００６８】
バックライト４の輝度を変化させる場合、Main MPU２０がバックライト用ドライバー６に対して、Model１〜Model３のいずれかの輝度調整信号を送る。該輝度調整信号を受け取ったバックライト用ドライバー６は、該輝度調整信号に応じたバックライト駆動電圧を生成してバックライト４の輝度を設定する。
【００６９】
特に、第２の構成では、Main MPU２０は、バックライト用ドライバー６に対して、Model１〜Model３のいずれかの輝度調整信号を送ると同時に、該輝度調整信号をコントロール回路１０にも送る。輝度調整信号を受け取ったコントロール回路１０は、輝度調整信号に対応した「Ｒ」、「Ｇ」、「Ｂ」それぞれのγテーブルデータを上記のモジュール側メモリ２４から選択するγテーブル選択信号を、テーブルデータ選択部２３に対して送る。
【００７０】
テーブルデータ選択部２３は、モジュール側メモリ２４からγテーブルデータ選択信号に基づく「Ｒ」、「Ｇ」、「Ｂ」それぞれのγテーブルデータを取り出し、これらのγテーブルデータを「Ｒ」、「Ｇ」、「Ｂ」それぞれのγテーブル８に送る。例えば、上記の第１の構成と同様に、Model１を輝度調整信号とした場合には、γテーブルデータ「Ｒ１」、「Ｇ１」、「Ｂ１」を液晶表示装置のγテーブル８へ送る。より詳細には、γテーブルデータ「Ｒ１」をＲ_γテーブル１３へ送り、γテーブルデータ「Ｇ１」をＧ_γテーブル１４へ送り、γテーブルデータ「Ｂ１」をＢ_γテーブル１５へ送る。
【００７１】
これにより、γテーブル８内のデータが書き換えられる。より詳細には、Ｒ_γテーブル１３、Ｇ_γテーブル１４、Ｂ_γテーブル１５内のデータがそれぞれ独立して書き換えられる。書き換わった後のγテーブルデータは、γテーブル８の後段に配されたＤ／Ａ変換回路（ＤＡＣ）９に渡され、該ＤＡＣ９にて液晶印加電圧に変換される。これにより、色度にずれの無い液晶印加電圧をＤＡＣ９から出力することができる。なお、上記のモジュール側メモリ２４は、例えば、ＥＥＰＲＯＭから構成することができる。また、上記のテーブルデータ選択部２３の動作をコントロール回路１０が行うような構成にしてもよい。
【００７２】
（第３の構成）
図５は、第３の構成を示すブロック図である。
【００７３】
Main MPU２０は、バックライト４の輝度を調整する際には、バックライト用ドライバー６に対して、輝度の調整を命令する輝度調整信号を送る。この輝度調整信号としては、例えば、バックライト４の明るさに応じて、Model１〜Model３の３段階の信号を用いることができる。
【００７４】
バックライト用ドライバー６は、該輝度調整信号に応じたバックライト駆動電圧を生成して、バックライト４に送り、バックライト４を制御する。これにより、バックライト４の輝度を調整することができる。
【００７５】
第３の構成では、特に、図５に示すように、液晶表示装置に、第１の構成に加えて、さらにモジュール側メモリ２４、コンパレータ（検出手段）２５、モジュール側ＭＰＵ（ＭＰＵ；データ信号線生成手段）２６、およびγテーブル選択部２３が設けられている。このモジュール側メモリ２４には、上記した色度のずれを補うような液晶印加電圧を生成するように、「Ｒ」、「Ｇ」、「Ｂ」それぞれのγテーブルデータが格納されている。このγテーブルデータは、上記第１の構成で説明したγテーブルデータと同じであるため、これ以上の説明を省略する。
【００７６】
コンパレータ２５は、バックライト用ドライバー６からバックライト駆動電圧を受け取り、該バックライト駆動電圧の変化を検出し、電圧信号を出力する。つまり、コンパレータ２５は、元のバックライト駆動電圧と現在のバックライト駆動電圧とを比較し、この比較結果に基づいて電圧信号を生成する。
【００７７】
モジュール側ＭＰＵ２６は、コンパレータ２５から電圧信号を受け取り、該電圧信号からγテーブル選択信号を生成する。テーブルデータ選択部２３は、モジュール側ＭＰＵ２６の命令に基づき、モジュール側メモリ２４の中から、「Ｒ」、「Ｇ」、「Ｂ」それぞれのγテーブルデータを取り出して、これらのγテーブルデータをγテーブル８に送る。
【００７８】
第３の構成の動作について説明する。
【００７９】
バックライト４の輝度を変化させる場合、Main MPU２０がバックライト用ドライバー６に対して、Model１〜Model３のいずれかの輝度調整信号を送る。該輝度調整信号を受け取ったバックライト用ドライバー６は、該輝度調整信号に応じたバックライト駆動電圧を生成してバックライト４の輝度を設定する。
【００８０】
特に、第３の構成では、バックライト用ドライバー６は、コンパレータ２５に対して、バックライト駆動電圧を送る。バックライト駆動電圧を受け取ったコンパレータ２５は、該バックライト駆動電圧の変化を検出し、電圧信号をモジュール側MPU２６へ出力する。モジュール側ＭＰＵ２６は、コンパレータ２５から電圧信号を受け取り、該電圧信号からγテーブル選択信号をテーブル選択部２３へ出力する。テーブルデータ選択部２３は、モジュール側ＭＰＵ２６の命令に基づき、モジュール側メモリ２４の中から、「Ｒ」、「Ｇ」、「Ｂ」それぞれのγテーブルデータを取り出して、これらのγテーブルデータをγテーブル８に送る。例えば、上記の第１の構成・第２の構成と同様に、Model１を輝度調整信号とした場合には、γテーブルデータ「Ｒ１」、「Ｇ１」、「Ｂ１」を液晶表示装置のγテーブル８へ送る。より詳細には、γテーブルデータ「Ｒ１」をＲ_γテーブル１３へ送り、γテーブルデータ「Ｇ１」をＧ_γテーブル１４へ送り、γテーブルデータ「Ｂ１」をＢ_γテーブル１５へ送る。
【００８１】
これにより、γテーブル８内のデータが書き換えられる。より詳細には、Ｒ_γテーブル１３、Ｇ_γテーブル１４、Ｂ_γテーブル１５内のデータがそれぞれ独立して書き換えられる。書き換わった後のγテーブルデータは、γテーブル８の後段に配されたＤ／Ａ変換回路（ＤＡＣ）９に渡され、該ＤＡＣ９にて液晶印加電圧に変換される。これにより、色度にずれの無い液晶印加電圧をＤＡＣ９から出力することができる。なお、上記のモジュール側メモリ２４は、例えば、ＥＥＰＲＯＭから構成することができる。また、上記のテーブルデータ選択部２３の動作をコントロール回路１０が行うような構成にしてもよい。
【００８２】
なお、上記では、γテーブルを「Ｒ」、「Ｇ」、「Ｂ」の３つに分けて、これらのγテーブルデータを書き換えていた。しかしながら、これに限らず、「Ｒ・Ｇ」のγテーブルデータを同じにして、「Ｒ・Ｇ」、「Ｂ」と２つに分けて、γテーブルデータを書き換えてもよい。２つに分けることにより、γテーブルデータを格納するメモリ領域を削減することができる。
【００８３】
図６は、「Ｒ」、「Ｇ」、「Ｂ」のγテーブルデータのうち、「Ｒ・Ｇ」のγテーブルデータを同じにして、「Ｒ・Ｇ」、「Ｂ」と２つに分けた場合の、それぞれのγテーブルデータを示すグラフである。グラフは、縦軸に最大値を１００として正規化した液晶印加電圧（Ｖ）を示しており、横軸に階調を示している。さらに、言えば本発明では、γテーブルデータをバックライトの輝度に応じて更新する点が重要であるため、ＲＧＢを全て一致させて更新させてもよい。
【００８４】
なお、従来技術では、色度の計算用回路自体を必要とするが、本表示装置では、必要としないため、回路規模は従来技術よりも小さくできる。
【００８５】
また、従来技術では、入力された信号値と輝度のデータを元に色度シフト量を計算によって求めているが、本表示装置では、もともと輝度（バックライトに流す電流値）に応じたγテーブルを決めているので、バックライト輝度に応じた最適な色度調整が可能となる。
【００８６】
RGBの独立したγテーブルを書き換えることにより、γテーブルを基にして、液晶印加電圧を生成する、D-A変換回路を直接制御できる。これにより、γテーブルで設定した液晶印加電圧を、誤差やノイズなく調整・生成することができる。また、γテーブルデータから液晶印加電圧の生成部が直結していることで、回路規模を小さくできる。
【００８７】
また、本発明の表示装置は、表示装置において、バックライト輝度が落とした場合に、元のバックライト輝度の色度からずれた表示装置に対して、ＲＧＢそれぞれのγテーブルを調整することで、色度のズレを修正できる構成でもよい。
【００８８】
また、本発明の表示装置は、色度ずれを補正する場合に、RGBの中から２種類のγテーブルを選択し調整することで、メモリ領域を削減しつつ、元のバックライト輝度における色度のずれを調整してもよい。
【００８９】
また、本発明の表示装置は、上記色度ずれの補正を、セット側(MainMPU等)からのバックライト用ドライバーへの輝度調整及び液晶駆動装置へのγテーブルの送信を同時に行ってもよい。
【００９０】
また、本発明の表示装置は、上記色度ずれの補正を、セット側(MainMPU等)からバックライトドライバーへ送る輝度調整信号を、同時に、液晶駆動回路の選択信号としてもよい。
【００９１】
また、本発明の表示装置は、上記色度すれの補正をセット側からバックライトドライバーへの輝度調整信号を送り、バックライトドライバーからの出力電圧値を液晶駆動回路のγテーブル選択信号としてもよい。
【００９２】
なお、本発明は上述した各実施の形態に限定されるものではなく、請求項に示した範囲で種々の変更が可能であり、異なる実施形態にそれぞれ開示された技術的手段を適宜組み合わせたて得られる実施形態についても本発明の技術的範囲に含まれる。
【産業上の利用可能性】
【００９３】
本発明は、携帯電話や次世代ワンセグＬＣＤ、ＵＭＰＣなどのモバイル機器に特に好適に利用することができる。
【図面の簡単な説明】
【００９４】
【図１】本発明の実施の形態を示すものであり、第１の構成を示すブロック図である。
【図２】（ａ）は、Model１の輝度調整信号に対しての階調値に対する印加電圧を示すグラフであり、（ｂ）は、Model２の輝度調整信号に対しての階調値に対する印加電圧を示すグラフであり、（ｃ）は、Model３の輝度調整信号に対しての階調値に対する印加電圧を示すグラフである。
【図３】「Ｒ」、「Ｇ」、「Ｂ」のγテーブルデータを独立して書き換える場合の、それぞれのγテーブルデータを示すグラフである。
【図４】本発明の実施の形態を示すものであり、第２の構成を示すブロック図である。
【図５】本発明の実施の形態を示すものであり、第３の構成を示すブロック図である。
【図６】「Ｒ」、「Ｇ」、「Ｂ」のγテーブルデータのうち、「Ｒ・Ｇ」のγテーブルデータを同じにして、「Ｒ・Ｇ」、「Ｂ」と２つに分けた場合の、それぞれのγテーブルデータを示すグラフである。
【符号の説明】
【００９５】
１    表示部（液晶表示部；表示パネル）
４    バックライト
６    バックライト用ドライバー（バックライト駆動手段）
８    γテーブル（テーブル；一時記憶手段）
９    Ｄ／Ａ変換回路（ＤＡＣ、変換手段）
１３  Ｒ_γテーブル（テーブル）
１４  Ｇ_γテーブル（テーブル）
１５  Ｂ_γテーブル（テーブル）
１０  コントロール回路（データ信号線生成手段；更新手段）
２４  モジュール側メモリ（記憶手段）
２５  コンパレータ（検出手段）
２６  モジュール側ＭＰＵ（データ信号線生成手段）
【図１】
2008076687.tif 000003
【図２】
2008076687.tif 000004
【図３】
2008076687.tif 000005
【図４】
2008076687.tif 000006
【図５】
2008076687.tif 000007
【図６】
2008076687.tif 000008